(57)【特許請求の範囲】
【請求項１】
排水機器に設けられた排水口に着脱自在に装着されるヘアキャッチャーであって、
排水中の毛髪やゴミを捕集する捕集部と、
平面視したとき、略中心部を含み、且つ一部が外縁を含む、
毛髪やゴミを捕集部まで導く案内部と、 
から成り、
案内部が捕集部より高い位置にあって、
案内部と捕集部とを繋ぐ連続面を形成したことを特徴とするヘアキャッチャー。
【請求項２】
上記ヘアキャッチャーにおいて、
ヘアキャッチャーを平面視したとき案内部と捕集部が重ならないことを特徴とする、
請求項１に記載のヘアキャッチャー。
【請求項３】
上記ヘアキャッチャーにおいて、
ヘアキャッチャーの平面視の形状が略円形状で、
案内部の外周円の円弧形状が、１８０度よりも大きいことを特徴とする、
請求項１又は請求項２に記載のヘアキャッチャー。
【請求項４】
上記ヘアキャッチャーにおいて、
案内部と捕集部を繋ぐ連続面に貫通したスリットが設けられていることを特徴とする、
請求項１乃至請求項３のいずれか一つに記載のヘアキャッチャー。
【請求項５】
上記ヘアキャッチャーにおいて、
捕集部の外縁の一部又は全部が開放されていることを特徴とする、
請求項１乃至請求項４のいずれか一つに記載のヘアキャッチャー。
【請求項６】
上記ヘアキャッチャーにおいて、
ヘアキャッチャーを平面視したとき中心部に貫通した穴を設けたことを特徴とする、
請求項１乃至請求項５のいずれか一つに記載のヘアキャッチャー。
【請求項７】
上記ヘアキャッチャーにおいて、
案内部と捕集部の少なくとも一方が複数形成したことを特徴とする、
請求項１乃至請求項６のいずれか一つに記載のヘアキャッチャー。
【請求項８】
上記ヘアキャッチャーにおいて、
外周部の少なくとも一部にリブを形成し、
捕集部側に形成したリブが案内面側のリブより低い位置に形成したことを特徴とする、
請求項１乃至請求項７のいずれか一つに記載のヘアキャッチャー。
【発明の詳細な説明】
【技術分野】
【０００１】
本発明は、排水機器に設けられる排水栓に装着されるヘアキャッチャーに関するものである。
【背景技術】
【０００２】
従来より、特開平１１−６１９３１のように、排水機器の排水口には毛髪やゴミを捕集するためのヘアキャッチャーが使用されている。一例として、図９のように円環状の内環４と円環状の外環５との間に放射状捕集リブ６を設けたヘアキャッチャー７が知られている。しかし、該ヘアキャッチャー７は、放射状捕集リブ６が略平面であるため毛髪やゴミが略平面の全面に蓄積して排水路を塞ぎ排水流量が極端に低下する虞があった。また、放射状捕集リブ６は毛髪やゴミが絡まりやすく清掃性が悪いという問題もあった。
【０００３】
また、特開２００５−３０７６１７のように、ヘアキャッチャー外縁部から中心部に向かって高くなるように形成した錐状の放射状捕集リブを設けたヘアキャッチャーもある。該ヘアキャッチャーは、毛髪やゴミが全面に蓄積することがなく、錐状の下部から徐々に蓄積されるので毛髪やゴミが排水路を塞ぎ排水流量が極端に低下することはない。しかし、毛髪やゴミは外縁部内周の底部から蓄積されるため、清掃時には全周の毛髪やゴミを取り除く必要があった。
【０００４】
【特許文献１】特開平１１−６１９３１
【特許文献２】特開２００５−３０７６１７
【０００５】
そこで本発明は、排水流量が極端に低下することなく、極めて容易に、毛髪やゴミを取り除くことの出来る排水栓用ヘアキャッチャーを提供することを目的とする。
【発明の開示】
【課題を解決するための手段】
【０００６】
上記の目的を達成するために、請求項１に記載のヘアキャッチャーは、排水機器に設けられた排水口に着脱自在に装着されるヘアキャッチャーであって、
排水中の毛髪やゴミを捕集する捕集部と、
平面視したとき、略中心部を含み、且つ一部が外縁を含む、
毛髪やゴミを捕集部まで導く案内部と、 
から成り、
案内部が捕集部より高い位置にあって、
案内部と捕集部とを繋ぐ連続面を形成したことを特徴とするヘアキャッチャーを提供する。
【０００７】
また、請求項２に記載のヘアキャッチャーは、ヘアキャッチャーを平面視したとき案内部と捕集部が重ならないことを特徴とする段落０００６に記載のヘアキャッチャーを提供する。
【０００８】
また、請求項３に記載のヘアキャッチャーは、ヘアキャッチャーの平面視の形状が略円形状で、
案内部の外周円の円弧形状が、１８０度よりも大きいことを特徴とする、
段落０００６又は段落０００７に記載のヘアキャッチャーを提供する。
【０００９】
また、請求項４に記載のヘアキャッチャーは、案内部と捕集部を繋ぐ連続面に貫通したスリットが設けられていることを特徴とする、
段落０００６乃至段落０００８のいずれか一つに記載のアキャッチャーを提供する。
【００１０】
また、請求項５に記載のヘアキャッチャーは、捕集部の外縁の一部又は全部が開放されていることを特徴とする、
段落０００６乃至段落０００９のいずれか一つに記載のヘアキャッチャーを提供する。
【００１１】
また、請求項６に記載のヘアキャッチャーは、ヘアキャッチャーを平面視したとき中心部に貫通した穴を設けたことを特徴とする、
段落０００６乃至段落００１０のいずれか一つに記載のへアキャッチャーを提供する。
【００１２】
また、請求項７に記載のヘアキャッチャーは、案内部と捕集部の少なくとも一方が複数形成したことを特徴とする、
段落０００６乃至段落００１１のいずれか一つに記載のヘアキャッチャーを提供する。
【００１３】
また、請求項８に記載のヘアキャッチャーは、外周部の少なくとも一部にリブを形成し、
且つ案内面より低い位置に形成したことを特徴とする、
段落０００６乃至段落００１２のいずれか一つに記載のヘアキャッチャーを提供する。
【発明の効果】
【００１４】
請求項１に記載のヘアキャッチャーによると、毛髪やゴミの除去に関して、案内部は毛髪やゴミを捕集部まで導くので案内部にゴミが蓄積されることはなく、捕集部に毛髪やゴミが集中して溜まるので容易に除去することができる。
【００１５】
請求項２に記載のヘアキャッチャーによると、平面視したとき案内部と捕集部が重ならないので、特開２００６−２５６０００号のような一般的にインジェクション成形といわれる成形方法で容易に成形することが出来る。
【００１６】
請求項３に記載のヘアキャッチャーによると、平面視の形状が略円形状であると共に、案内部の外周円の円弧形状が、１８０度よりも大きいので外周円の円弧形状が排水口内面に沿うように配置されるので、排水口内面とガタツキが生じることはない。
【００１７】
請求項４に記載のヘアキャッチャーによると、案内部と捕集部を繋ぐ連続面に貫通したスリットが設けられているので仮にヘアキャッチャーの捕集部に毛髪やゴミが詰まっても、貫通したスリットが設けられている連続面は捕集部よりも高い位置にあり、捕集部底面から毛髪やゴミが蓄積されるので、連続面の最上部まで毛髪やゴミが蓄積されない限り、極端な排水流量の低下を防止することができる。
【００１８】
請求項５に記載のヘアキャッチャーによると、捕集部の外縁が開放されているため、捕集部に毛髪やゴミが蓄積された場合に開放部分から毛髪やゴミを排出できるので、清掃が容易になる。
【００１９】
請求項６に記載のヘアキャッチャーによると、ヘアキャッチャーを平面視したとき中心部に貫通した穴を設けているので、遠隔操作式排水栓に使用する排水栓スライド軸の外周に嵌装することが出来る。
【００２０】
請求項７に記載のヘアキャッチャーによると、形状の自由度が高まる。
【００２１】
請求項８に記載のヘアキャッチャーによると、排水口内面に接地する面積が大きくなるので安定性が良好になる
【発明を実施するための最良の形態】
【００２２】
〔第一実施例〕
以下、本発明の第一実施例を、図１、図２及び図３を参照しつつ説明する。
図１は本発明の一実施形態のうち、第一実施例に使用するヘアキャッチャー７を示した斜視図である。図２は、本発明の一実施形態であるヘアキャッチャー７を組み込んだ、洗面化粧台の概略を模式的に示した要部断面図である。図３は第一実施例に使用するヘアキャッチャー７を示した平面図である。
【００２３】
さらに具体的には、洗面ボウル１０に鍔の形成された排水口１１を洗面ボウル１０の上部より挿入する。洗面ボウル１０内に水を入れたとき外部への漏水を確実に防止するため、鍔下パッキン１２と三角パッキン１３で洗面ボウル１０を挟み込んで排水口１１を取り付ける。次に滑りワッシャー１７を内径に雌ネジを形成した締め付けナット１８の上面に配置する。排水口１１の外周には雄ネジを形成していて、締め付けナット１８を排水口１１の下部より締結にて固定する。滑りワッシャー１７は締結の際のトルクを一定にする効果がある。
【００２４】
そして排水口１１の上部よりヘアキャッチャー７を挿入する。図３で示したヘアキャッチャー７の案内部１の外周円の円弧形状は、２２０度となるよう構成されている。即ち１８０度よりも大きいので、排水口１１内でヘアキャッチャー７の転倒が発生することはない。また案内部１と捕集部２の外周には立ち上げ部１９を形成しており、排水口１１の内周と接地する面積が大きくなるのでガタツキが発生することはない。
【００２５】
洗面ボウル１０で使用した水は毛髪やゴミと一緒に排水口１１の上端部から流入する。まずヘアキャッチャー７で捕集部２より高い位置にある案内部１に毛髪やゴミを含んだ水が到達する。ヘアキャッチャー７の案内部１は捕集部２に向かって傾斜を備えおり、案内部１に流れた水は捕集部２に向かって流れ出る。捕集部２には複数の開口部を設けており、毛髪やゴミを濾し取って水のみが排水される。捕集部２は略平面であり、略平面上に毛髪やゴミが蓄積されることになる。捕集部２が毛髪やゴミで完全に蓄積されて排水流路が絶たれた場合、排水は案内部１と捕集部２とを繋ぐ貫通したスリットが設けられている連続面３を流れるため、排水はスムーズに行われる。
【００２６】
ヘアキャッチャー７の捕集部２に毛髪やゴミがある程度蓄積し、掃除が必要となった場合、ヘアキャッチャー７を排水口１１から取り出す。そして捕集部２に蓄積された毛髪やゴミを取り除く。取り除く際は、ヘアキャッチャー７の上部をつまみ、捕集部２が下方に向くように傾ける、或いは捕集部２が下方に向くように傾けた後、軽くヘアキャッチャー７の下部をゴミ箱に叩き付ければ毛髪やゴミが落下する。
【００２７】
〔第二実施例〕
次に本発明の第二実施例について、図２及び図４を参照しつつ説明する。なお、第一実施例と同一の構成は同一の符号を付して説明を省略する。
【００２８】
図４は本発明の一実施形態のうち、第二実施例に使用するヘアキャッチャー７を示した斜視図である。図２は、本発明の一実施形態であるヘアキャッチャー７を組み込んだ、洗面化粧台の概略を模式的に示した要部断面図である。
【００２９】
まず排水口１１を段落００１７と同様の方法で取り付ける。
【００３０】
そして排水口１１の上部よりヘアキャッチャー７を挿入する。このヘアキャッチャー７の形状は、捕集部２が案内部１によって分断され複数形成されている。また平面視したとき捕集部２と案内部１が重ならないように構成しているので一般にインジェクション成形といわれる樹脂成形を行う場合、上下方向のどの部分で金型を分割しても逆勾配にならずに成形が容易である。
【００３１】
洗面ボウル１０で使用した水は毛髪やゴミと一緒に排水口１１の上端部から流入する。まずヘアキャッチャー７で捕集部２より高い位置にある案内部１に毛髪やゴミを含んだ水が到達する。案内部１に流れた水は案内部１により分断された捕集部２に向かって流れ出る。捕集部２には複数の開口部を設けており、毛髪やゴミを濾し取って水のみが排水される。分断して形成することにより捕集部２と案内部１を繋ぐ連続面３が水の流れを遮断して排水口１１内で渦を巻きながら排水されることはないので、一緒に流れる毛髪やゴミは捕集部２の複数の開口部に絡みついて固着することがない。
【００３２】
〔第三実施例〕
次に本発明の第三実施例を、図５及び図６を参照しつつ説明する。なお、第一実施例と同一の構成は同一の符号を付して説明を省略する。
【００３３】
図６は本発明の一実施形態のうち、第三実施例に使用するヘアキャッチャー７を装着した排水栓セット８を示した斜視図である。図５は、本発明の一実施形態であるヘアキャッチャー７を装着した排水栓セット８を組み込んだ、洗面化粧台の概略を模式的に示した要部断面図である。
【００３４】
さらに具体的には、洗面ボウル１０に鍔の形成された排水口１１を洗面ボウル１０の上部より挿入する。洗面ボウル１０内に水を入れたとき確実に止水を行うため、鍔下パッキン１２と三角パッキン１３で洗面ボウル１０を挟み込むように排水口１１を取り付ける。次に滑りワッシャー１７を内径に雌ネジを形成した締め付けナット１８の上面に配置する。排水口１１の外周には雄ネジを形成していて、締め付けナット１８を排水口１１の下部より締結にて固定する。滑りワッシャー１７は締結の際のトルクを一定にする効果がある。
そしてＴ型チーズ１４を排水口１１の下部へネジ嵌合させる。Ｔ型チーズ１４には排水栓セット８を上下に作動させるワイヤー先端部１５が装着されている。図示しないワイヤーボタン部を押すとワイヤー先端部１５が一定の高さまで上昇し、さらにもう一度ワイヤーボタン部を押すと図示しないラチェット部が駆動してワイヤー先端部１５は元の位置へ戻る。排水口１１の上部より排水栓セット８を装着すれば、ワイヤーボタン部を押すと排水栓セット８は上下に作動する。
【００３５】
ヘアキャッチャー７を平面視したときの中心部には、排水栓セット８の中心軸の外径よりも大きい貫通した穴を設けている。この貫通した穴の内径に中心軸の外径を、摺動自在になるよう配置する。摺動自在に配置することで、排水栓セット８が上下に作動してもヘアキャッチャー７は排水口１１内の定まった位置にある。排水口１１の内部で排水栓セット８は上下に作動するときヘアキャッチャー７の案内部１の外周円の円弧形状が、２２０度となるよう構成されている。即ち１８０度よりも大きいので、排水口１１内でヘアキャッチャー７のガタツキが発生することはない。
【００３６】
ヘアキャッチャー７は捕集部２により毛髪やゴミを捕集する。捕集部２は略平面であり、略平面上に毛髪やゴミが蓄積されることとなる。捕集部２が毛髪やゴミで完全に蓄積されて排水流路が絶たれた場合、排水は案内部１と捕集部２とを繋ぐ貫通したスリットが設けられている連続面３を流れるため、排水はスムーズに行われる。
【００３７】
ヘアキャッチャー７の捕集部２に毛髪やゴミがある程度蓄積し、掃除が必要となった場合、まず排水栓セット８を排水口１１から取り出す。そして捕集部２に蓄積された毛髪やゴミを取り除く。取り除く際は、排水栓セット８の上部をつまみ、捕集部２が下方に向くように傾ける、或いは捕集部２が下方に向くように傾けた後、軽く排水栓セット８の下部をゴミ箱に叩き付ければ毛髪やゴミが落下する。
【００３８】
〔第四実施例〕
次に本発明の第四実施例について、図５及び図７を参照しつつ説明する。なお、第一実施例と同一の構成は同一の符号を付して説明を省略する。
【００３９】
図７は本発明の一実施形態のうち、第四実施例に使用するヘアキャッチャー７を装着した排水栓セット８を示した斜視図である。図５は、本発明の一実施形態であるヘアキャッチャー７を装着した排水栓セット８を組み込んだ、洗面化粧台の概略を模式的に示した要部断面図である。
【００４０】
まず排水口１１を段落００２８、００２９と同様の方法で取り付けし、排水栓セット８を排水口１１へ設置する。また、ヘアキャッチャー７に毛髪やゴミが蓄積した場合の排水過程は段落００３０と同様である。
【００４１】
ヘアキャッチャー７の捕集部２に毛髪やゴミがある程度蓄積し、掃除が必要となった場合、まず排水栓セット８を排水口１１から取り出す。そして捕集部２に蓄積された毛髪やゴミを取り除く。取り除く際は、排水栓セット８の上部をつまみ、捕集部２が下方に向くように傾ける、或いは捕集部２が下方に向くように傾けた後、軽く排水栓セット８の下部をゴミ箱に叩き付ければ毛髪やゴミが落下する。この第四実施例では捕集部２の外縁の全部が開放されているので、毛髪やゴミが外縁に引っかかることがなく、容易に取り除くことが出来る。
【００４２】
〔第五実施例〕
次に本発明の第五実施例について、図５及び図８を参照しつつ説明する。なお、第一実施例と同一の構成は同一の符号を付して説明を省略する。
【００４３】
図８は本発明の一実施形態のうち、第五実施例に使用するヘアキャッチャー７を装着した排水栓セット８を示した斜視図である。図５は、本発明の一実施形態であるヘアキャッチャー７を装着した排水栓セット８を組み込んだ、洗面化粧台の概略を模式的に示した要部断面図である。
【００４４】
まず排水口１１を段落００２８、００２９と同様の方法で取り付けし、排水栓セット８を排水口１１へ設置する。
【００４５】
ヘアキャッチャー７は捕集部２により毛髪やゴミを捕集する。捕集部２は略平面であり、略平面上に毛髪やゴミが蓄積されることとなる。案内部１には排水を行う排水穴１６が設けられているが、案内部１から捕集部２に向かって傾斜があるので排水穴１６には毛髪やゴミが蓄積されることはない。捕集部２が毛髪やゴミで完全に蓄積されて排水流路が絶たれた場合、排水は案内部１と捕集部２とを繋ぐ貫通したスリットが設けられている連続面３を流れるため、排水はスムーズに行われる。
【００４６】
ヘアキャッチャー７の捕集部２に毛髪やゴミがある程度蓄積し、掃除が必要となった場合、まず排水栓セット８を排水口１１から取り出す。そして捕集部２に蓄積された毛髪やゴミを取り除く。取り除く際は、排水栓セット８の上部をつまみ、ゴミ採取用穴９に爪楊枝を差し込み、捕集部２の外周まで繋がった溝に沿って引き出す。ゴミ採取用穴９には毛髪やゴミが蓄積されているので爪楊枝を引き出す際に一緒に取り出すことが出来る。
【００４７】
なお、上述の各実施例は一例であり、実施の形態は、上述の形態に限ることなく、本発明の思想の範囲を逸脱しない範囲で適宜変更することができる。さらに、本発明の排水栓用ヘアキャッチャーは、上記実施形態に示すような洗面化粧台における洗面ボールの排水口に係るもののみならず、浴槽の排水口、台所の排水口等においても同様に実施可能である。
【図面の簡単な説明】
【００４８】
【図１】本発明の第一実施例によるヘアキャッチャーを示した斜視図である。
【図２】本発明の第一実施例及び第二実施例のヘアキャッチャーを組み込んだ洗面ボウルを示した主要断面図である。
【図３】本発明の第一実施例によるヘアキャッチャーを示した平面図である。
【図４】本発明の第二実施例によるヘアキャッチャーを示した斜視図である。
【図５】本発明の第三実施例、第四実施例、第五実施例のヘアキャッチャーを装着した排水栓セットを組み込んだ洗面ボウルを示した主要断面図である。
【図６】本発明の第三実施例によるヘアキャッチャーを装着した排水栓セットを示した斜視図である。
【図７】本発明の第四実施例によるヘアキャッチャーを装着した排水栓セットを示した斜視図である。
【図８】本発明の第五実施例によるヘアキャッチャーを装着した排水栓セットを示した斜視図である。
【図９】従来例に係るヘアキャッチャーを装着した排水栓セットを示した斜視図である。
【符号の説明】
【００４９】
１    案内部                  ２    捕集部
３    連続面                  ４    内環
５    外環                    ６    放射状捕集リブ
７    ヘアキャッチャー        ８    排水栓セット
９    ゴミ採取用穴          １０    洗面ボウル
１１    排水口                １２    鍔下パッキン
１３    三角パッキン          １４    Ｔ型チーズ
１５    ワイヤー先端部        １６    排水穴
１７    滑りワッシャー        １８    締め付けナット
１９    立ち上げ部
【図１】
0005352781.tif 000002
【図２】
0005352781.tif 000003
【図３】
0005352781.tif 000004
【図４】
0005352781.tif 000005
【図５】
0005352781.tif 000006
【図６】
0005352781.tif 000007
【図７】
0005352781.tif 000008
【図８】
0005352781.tif 000009
【図９】
0005352781.tif 000010